(57)【要約】【課題】  面積階調画像を形成する際に、本来の網点形状に沿った形で画像を忠実に再現可能な面積階調画像形成方法及び面積階調画像形成装置を提供する。【解決手段】  この面積階調画像形成方法は、画素ごとの２値データの集合体である面積階調画像の網点境界を検出し、その網点境界における出力条件を調整することで面積階調画像の色調を調節して面積階調画像を形成するものであり、面積階調画像の網点の周辺部における網点面積率を推定し、その推定した網点面積率に基づいて網点境界における濃度を調整することで出力条件を調整する。【選択図】  図９
2006121153.tif 000002
【特許請求の範囲】
【請求項１】
画素ごとの２値データの集合体である面積階調画像の網点境界を検出し、その網点境界における出力条件を調整することで面積階調画像の色調を調節して面積階調画像を形成する面積階調画像形成方法であって、
面積階調画像の網点の周辺部における網点面積率を推定し、前記推定した網点面積率に基づいて前記網点境界における濃度を調整することで前記出力条件を調整することを特徴とする面積階調画像形成方法。
【請求項２】
前記面積階調画像の網点境界に位置する境界画素を検出し、その検出した所定の境界画素を注目画素とし、前記注目画素の周辺部において前記網点面積率を推定する請求項１に記載の面積階調画像形成方法。
【請求項３】
前記網点境界の外縁部に画素を付加し、その付加した画素の濃度を調整することで前記出力条件を調整する請求項１または２に記載の面積階調画像形成方法。
【請求項４】
前記網点境界の内縁部の画素の濃度を変えることで前記出力条件を調整する請求項１，２または３に記載の面積階調画像形成方法。
【請求項５】
画素ごとの２値データの集合体である面積階調画像の網点境界を検出し、その網点境界における出力条件を調整することで面積階調画像の色調を調節して面積階調画像を形成する面積階調画像形成装置であって、
面積階調画像の網点の周辺部における網点面積率を推定し、前記推定した網点面積率に基づいて前記網点境界における濃度を調整することで前記出力条件を調整することを特徴とする面積階調画像形成装置。
【請求項６】
前記面積階調画像の網点境界に位置する境界画素を検出し、その検出した所定の境界画素を注目画素とし、前記注目画素の周辺部において前記網点面積率を推定する請求項５に記載の面積階調画像形成装置。
【請求項７】
前記網点境界の外縁部に画素を付加し、その付加した画素の濃度を調整することで前記出力条件を調整する請求項５または６に記載の面積階調画像形成装置。
【請求項８】
前記網点境界の内縁部の画素の濃度を変えることで前記出力条件を調整する請求項５，６または７に記載の面積階調画像形成装置。
【発明の詳細な説明】
【技術分野】
【０００１】
本発明は、面積階調画像の検出した網点境界で出力条件を調整することで面積階調画像の色調を調整する面積階調画像形成方法及び面積階調画像形成装置に関するものである。
【背景技術】
【０００２】
印刷原稿がコンピュータ上で作成され、これから作成されたデジタルデータから面積階調画像を形成することがごく普通に行われるようになってきている。デジタルデータを用いることの最大の特色は、伝送による劣化がないことであり、デジタル技術の進歩は印刷原稿を作成する場と印刷を行う場所とを分けることを可能とした。印刷原稿の文字等は、通常、テキストデータと文字に関するデータ（フォント）に分けられ、ディスプレイへの表示やハードコピーとしての画像出力の際に解釈され画像として定着される。理論的には、どのような遠隔地であろうとも印刷原稿を伝送し、同じ条件で面積階調化することにより全く同じ面積階調画像が得られることになる。しかし、現実には面積階調化するソフトウェアのヴァージョンが異なったり、フォントが異なったりして条件をまったく同一にすることは難しく、更に人間による条件設定の誤りなども加わって同じ画像を得ることは予想外に難しいことであった。このため、面積階調化されたデータを伝送する方式が多く用いられるようになっている。
【０００３】
通常のカラー印刷においては、少なくともシアン（Ｃ）、マゼンタ（Ｍ）、イエロー（Ｙ）、墨（Ｋ）の４版が作成され、網点はこれを更に細分化した画素の集合体として構成されるため、これらの各版のデータは、画素がインクの付く網点であるか、インクのつかない抜け部であるかを表す１ビットのデータ（「１」か「０」）で表される。
【０００４】
印刷版を作成し、試し刷りを行った後に修正を施すと、多くの材料のロスを生じ、また多大な時間を要することから、印刷版の作成の前に画像を出力し、プルーフ画像を形成し、仕上がりをチェックしている。プルーフは、最終的に印刷版を形成するデータと同じデータを用いて画像形成することが理想的である。このため、上述の１ビットデータからプルーフ画像を形成することが好ましい。しかし、印刷工程においてドットゲイン（網点太り）を生じるため、印刷版はこれを考慮した大きさの網点になるように作成される。このため、前記１ビットデータを用いて作成したプルーフはドットゲインが印刷物と合わず、印刷物の仕上がりを予測する目的を達することができなかった。このため、プルーフ用にドットゲイン（ＤＧ）を調整して別の面積階調画像データを作成してプルーフ画像を出力しているのが実情であった。
【０００５】
下記特許文献１は、支持体上に少なくとも一層のハロゲン化銀乳剤層を有するハロゲン化銀感光材料を２値デジタル画像データに応じ画像部に対応する露光レベルと非画像部に対応する露光レベルの少なくとも２通りの露光量レベルで走査露光した後に現像処理する場合、画像部に対応する露光レベルを画像データの連続性に応じて変化させることで、特性の異なるハロゲン化銀感光材料を用いても墨網の色調や小点の色調が安定して再現できるようにした面積階調画像形成方法を開示する。
【０００６】
下記特許文献２は、中間調ビットマップ画像を提供するステップと、画素面積率を推定するステップと、所定の色校正関数によって目標となる画素面積率を計算するステップと、修正された画像を形成するためにオン状態、オフ状態に変換する画素数Ｎを計算するステップと、Ｎ個の画素をオン、オフ状態のいずれかに変換するステップと、を備える中間調ビットマップ画像の校正方法を開示する。
【０００７】
特許文献２の方法によれば  色校正関数を適切に設定することにより、印刷物の網点面積率に一致するプルーフ画像を得ることが可能となる。しかし、この方法によれば、得られるプルーフ画像に印刷物には存在しない一定のパターンやザラツキが発生することがあった。
【０００８】
例えば特許文献１のような面積階調画像形成方法を採用し、ドットゲイン調整のために画素を発生確率によって付加して大きさを調整すると、プルーフ画像に不要なパターンやザラツキが発生し易くなる場合があり、好ましくない。
【特許文献１】特開２００４−４６１３７号公報
【特許文献２】特開２００４−４０７８１号公報
【発明の開示】
【発明が解決しようとする課題】
【０００９】
本発明は、上述のような従来技術の問題に鑑み、面積階調画像を形成する際に、本来の網点形状に沿った形で画像を忠実に再現可能な面積階調画像形成方法及び面積階調画像形成装置を提供することを目的とする。
【課題を解決するための手段】
【００１０】
上記目的を達成するために、本発明による面積階調画像形成方法は、画素ごとの２値データの集合体である面積階調画像の網点境界を検出し、その網点境界における出力条件を調整することで面積階調画像の色調を調節して面積階調画像を形成する面積階調画像形成方法であって、面積階調画像の網点の周辺部における網点面積率を推定し、前記推定した網点面積率に基づいて前記網点境界における濃度を調整することで前記出力条件を調整することを特徴とする。
【００１１】
この面積階調画像形成方法によれば、網点境界における出力条件を調整することで面積階調画像の色調を調整する際に、網点の周辺部における網点面積率を推定し、その推定した網点面積率に基づいて網点境界における濃度を調整することで、画像に不要なパターンやザラツキが発生せずに、本来の網点形状に沿った形で画像を忠実に再現可能となる。
【００１２】
上記面積階調画像形成方法において前記面積階調画像の網点境界に位置する境界画素を検出し、その検出した所定の境界画素を注目画素とし、前記注目画素の周辺部において前記網点面積率を推定することができる。例えば、注目画素を中心としたｎ×ｎのマスクとの重なりから網点の大きさを推定することができる。
【００１３】
また、前記網点境界の外縁部に画素を付加し、その付加した画素の濃度を調整することで前記出力条件を調整することができる。このように、外縁部に画素を付加する確率を変えるのではなく、一律に画素を付加し、その濃度を網点面積率に基づいて調整することで、画像における不要なパターンやザラツキの発生を防止できる。
【００１４】
また、前記網点境界の内縁部の画素の濃度を変えることで前記出力条件を調整するようにしてもよく、網点境界の内縁部の画素の濃度を網点面積率に基づいて調整することで、画像における不要なパターンやザラツキの発生を防止できる。
【００１５】
本発明による面積階調画像形成装置は、画素ごとの２値データの集合体である面積階調画像の網点境界を検出し、その網点境界における出力条件を調整することで面積階調画像の色調を調節して面積階調画像を形成する面積階調画像形成装置であって、面積階調画像の網点の周辺部における網点面積率を推定し、前記推定した網点面積率に基づいて前記網点境界における濃度を調整することで前記出力条件を調整することを特徴とする。
【００１６】
この面積階調画像形成装置によれば、網点境界における出力条件を調整することで面積階調画像の色調を調整する際に、網点の周辺部における網点面積率を推定し、その推定した網点面積率に基づいて網点境界における濃度を調整することで、画像に不要なパターンやザラツキが発生せずに、本来の網点形状に沿った形で画像を忠実に再現可能となる。
【００１７】
上記面積階調画像形成装置において前記面積階調画像の網点境界に位置する境界画素を検出し、その検出した所定の境界画素を注目画素とし、前記注目画素の周辺部において前記網点面積率を推定することができる。例えば、注目画素を中心としたｎ×ｎのマスクとの重なりから網点の大きさを推定することができる。
【００１８】
また、前記網点境界の外縁部に画素を付加し、その付加した画素の濃度を調整することで前記出力条件を調整することができる。このように、外縁部に画素を付加する確率を変えるのではなく、一律に画素を付加し、その濃度を網点面積率に基づいて調整することで、画像における不要なパターンやザラツキの発生を防止できる。
【００１９】
また、前記網点境界の内縁部の画素の濃度を変えることで前記出力条件を調整するようにしてもよく、網点境界の内縁部の画素の濃度を網点面積率に基づいて調整することで、画像における不要なパターンやザラツキの発生を防止できる。
【発明の効果】
【００２０】
本発明の面積階調画像形成方法及び面積階調画像形成装置によれば、面積階調画像を形成する際に、画像に不要なパターンやザラツキが発生せずに本来の網点形状に沿った形で画像を忠実に再現可能となる。
【発明を実施するための最良の形態】
【００２１】
以下、本発明を実施するための最良の形態について図面を用いて説明する。図１は本実施の形態による面積階調画像形成装置（カラープルーフ作成装置）を含む印刷システムの構成例を概略的に示す図である。
【００２２】
図１に示すように、印刷システムは、印刷工場のクライアント端末１からＰＳ(PostScript)データ等の画像データを画像処理装置であるＲＩＰ(Raster Image Processor)２に入力し、ＲＩＰ２はＰＳデータをラスター・イメージに変換処理（RIP処理）し、画素ごとの２値データの集合体である網点化された面積階調画像のデジタルデータ(Ripped Data)を得て、そのデジタルデータをＲＩＰ２から直接印刷用の原版である刷版を作成するためのＣＴＰ（コンピュータツウプレート／Computer To Plate）装置３に転送し、ＣＴＰ装置３で作成された刷版を印刷装置４に取り付けて印刷を行うように構成されている。
【００２３】
上述のようにＲＩＰ２から出力したデジタルデータは、画素ごとに「１（発色／オン）」か「０（非発色／オフ）」の２値データの集合体である網点化された面積階調画像のデジタルデータ（以下、単に、「２値網点画像データ」という。）である。図１の印刷システムは、面積階調画像形成装置であるカラープルーフ作成装置１０を含み、このカラープルーフ作成装置１０にＲＩＰ２から２値網点画像データが入力すると、カラープルーフ作成装置１０は、２値網点画像データに基づいて印刷装置４での印刷の際に印刷出力対象の絵柄、色調、文章、文字等の確認を行うためのカラープルーフ（校正用サンプルであり、以下、単に「プルーフ」ともいう。）を作成し出力する。
【００２４】
以上のように、図１の印刷システムでは、ＣＴＰ装置３で刷版を作成するためにＲＩＰ２で作成した２値網点画像データを用いてカラープルーフ作成装置１０でプルーフを作成し、Rip処理が１回で済む、いわゆるRipOnce方式を採用している。
【００２５】
次に、図１のカラープルーフ作成装置１０における画像データの流れ及び制御系について図２乃至図５を参照して説明する。
【００２６】
図２は図１のカラープルーフ作成装置１０の制御系を概略的に示すブロック図である。図３は図２のエッジ検出部で検出する内エッジ（ａ）及び外エッジ（ｂ）を模式的に示す図である。図４は図２のエッジ検出部におけるエッジ検出を説明するための模式図である。図５は図２のマスク部において網点の網点面積率を推定するための９×９のマスクを説明するための模式図である。
【００２７】
図２のように、カラープルーフ作成装置１０は、図１のＲＩＰ２からＹ（イエロー）、Ｍ（マゼンダ）、Ｃ（シアン）、Ｋ（墨）等の各版の２値網点画像データが入力する画像データＩ／Ｆ部２１と、画像データＩ／Ｆ部２１からの２値網点画像データをいったん記憶し随時出力するハードディスク記憶装置等からなるデータバッファ２２と、データバッファ２２からの２値網点画像データに対する光源駆動値を対応づけて感光紙に対する露光のための露光データとする露光ルックアップテーブル（露光ＬＵＴ）２３と、露光ルックアップテーブル２３からのＢ（Blue）、Ｇ（Green）、Ｒ（Red）の各露光データのデジタル信号をアナログ信号に変換し、ＢＧＲの各光源を駆動しハロゲン化銀感光材料からなる感光紙に露光する露光部１１と、露光された感光紙を現像して画像を可視像化する現像部１２と、中央演算処理装置（ＣＰＵ）等から構成されて装置全体を制御する制御部２０と、を備える。
【００２８】
また、カラープルーフ作成装置１０は、２値網点画像の網点の境界であるエッジ部を検出するエッジ検出部２４と、エッジ検出部２４で検出された注目画素を中心にして例えば９×９のマスクにおける画素の埋まり方を検知し網点面積率を推定するマスク部２５と、を備える。
【００２９】
なお、網点は階調画像の濃淡を網点面積の大小で表現し、網点面積率（網％）は単位面積当たりに占める網点の面積の比率をパーセントで表し、この網点面積率で色の濃淡の度合いを示すことができる。
【００３０】
図３（ａ）、（ｂ）のように、網点５０のエッジ部には、網点５０の内縁部側に位置する内エッジ５１と、網点５０の外縁部側に位置する外エッジ５２とがある。
【００３１】
エッジ検出部２４は、図４のような３×３のマスクフィルタを用い、注目した画素である注目点ｄがオン（「１」）のとき、近傍の４つの画素ｄ１，ｄ２，ｄ３，ｄ４のいずれかがオフ（「０」）であれば、注目点ｄを内エッジと判定する。また、注目点ｄがオフのとき、近傍の４つの画素ｄ１，ｄ２，ｄ３，ｄ４のいずれかがオンであれば、注目点ｄを外エッジと判定する。このようにして、エッジ検出部２４は各版毎にすべての画素に対してエッジ検出を行う。
【００３２】
マスク部２５は、ｎ×ｎのマスク、例えば、図５のような９×９のマスクを用いて、上述のエッジ検出部２４で外エッジと判定された注目画素ｈを中心にして９×９の８０個の升目において画素がオンかオフかをカウントすることで、升目の埋まり方を判定し、オンの画素のカウント数に基づいて網点面積率（網％）を推定する。例えば、注目画素ｈの周囲の４０個の升目がオンとカウントされた画素で埋まっていれば、注目画素ｈの周囲はおおむね網点面積率５０％の網点であると推定する。
【００３３】
次に、図２の露光ルックアップテーブル（露光ＬＵＴ）２３、基準濃度テーブル２６及びカラーコレクションテーブル２７について図６，図７，図８を参照して説明する。
【００３４】
図６は図２の基準濃度テーブルの例を示す図である。図７は図２のカラーコレクションテーブルの例を示す図である。図８は図２の露光ＬＵＴの例を示す図である。
【００３５】
制御部２０は、露光ＬＵＴ２３、基準濃度テーブル２６及びカラーコレクションテーブル２７をメモリに設定し保存する。基準濃度テーブル２６は、感光紙における発色濃度に対するＹＭＣの各光量のテーブルであり、記録材料の特性を記憶するもので、例えば感光紙のロットや種類が変わる度に変更される。例えば、図６のように、感光紙における発色濃度（statusＴ濃度値の１００倍で表している。）に対しＹ（Ｂ光量）、Ｍ（Ｒ光量）、Ｃ（Ｇ光量）の各光量が最大光量を４０００階調に均等分割し、１〜４０００のレベルで定義されている。
【００３６】
カラーコレクションテーブル２７は、刷版インキの色等の印刷条件に合わせて色を調整するためのテーブルであり、刷版インキ等の印刷条件が変わる度に変更する。例えば、図７のように、各色（ＹＭＣＢＧＲＫＧｙＷＳ１Ｓ２）及び各色の組み合わせについてＹ濃度、Ｍ濃度、Ｃ濃度が図６と同様のstatusＴ濃度値の１００倍で表されて定義されている。なお、Ｇｙは灰色、Ｗは白色、Ｓ１、Ｓ２は特色である。
【００３７】
図８に例示した露光ルックアップテーブル（露光ＬＵＴ）は、図５のような９×９のマスクを使用したときに外エッジの露光量を決めるものであり、図２の露光ＬＵＴ２３に含まれる。即ち、図８の露光ＬＵＴは、エッジ検出部２４で外エッジと判定された注目画素を中心にしてマスク部２５で９×９のマスクにおけるオンの画素をカウントし、そのカウント値を０〜８０のマスク値（マスク値０は網点面積率０％であり、マスク値８０は網点面積率１００％である）とし、各マスク値に対応して基準露光量に対する露光量の比率を百分率で表している。
【００３８】
図８のマスク値０〜８０は網点面積率に対応し、図８の露光ＬＵＴにより図３（ｂ）のような外エッジ５２において網点面積率に応じて出力条件（露光量）を調整することで外エッジ５２における発色濃度を調整し、面積階調画像全体の色調を調節することができる。
【００３９】
制御部２０は、露光前に、図１のＲＩＰ２から入力した２値網点画像データに設定された発色濃度を基準濃度テーブル２６で露光量に変換し光源駆動値を補正し、また、カラーコレクションテーブル２７で色調整のため光源駆動値を補正し、これらの補正された光源駆動値を各版の画像データに対応づけて露光ＬＵＴ２３に露光の度に設定する。そして、露光ＬＵＴ２３からの露光データにより露光部１１でＢＧＲの各光源を駆動し感光紙に露光することで画像形成を行う。
【００４０】
次に、図１、図２のカラープルーフ作成装置１０におけるプルーフ作成の動作について図９のフローチャートを参照して説明する。
【００４１】
まず、図１のＲＩＰ２から２値網点画像データが図１、図２のカラープルーフ作成装置１０に入力し（Ｓ０１）、データバッファ２２で２値網点画像データをいったん記憶し随時出力し、エッジ検出部２４で図３（ｂ）、図４のように２値網点画像の網点の外縁部側の境界である外エッジ５２を検出する（Ｓ０２）。
【００４２】
上述のように外エッジ５２と判定された各画素を注目画素と決定し（Ｓ０３）、マスク部２５で図５のような９×９のマスクにより注目画素ｈを中心にして９×９の８０個の升目においてオンの画素をカウントする（Ｓ０４）。かかるカウントを繰り返すことで各網点の網点面積率を推定できる。
【００４３】
次に、図８のような露光ＬＵＴで外エッジに対する露光量を調整するとともに（Ｓ０５）、データバッファ２２から出力した２値網点画像データに基づいて露光ＬＵＴ２３からの露光データにより露光部１１で駆動されたＢＧＲの各光源から感光紙を露光する（Ｓ０６）。そして、露光された感光紙を現像処理することで画像を可視像化し（Ｓ０７）、プルーフとして出力する（Ｓ０８）。
【００４４】
以上のようにして、網点の外エッジの画素を検出し、この画素を中心としたｎ×ｎのマスクとの重なりから網点の大きさ（網点面積率）を推定し、この網点面積率に基づいて露光ＬＵＴ２３で外エッジの露光量を調整して発色濃度を適度に調整し色調を調節することで、プルーフ画像におけるドットゲインを調整することができるとともに、外エッジにおいてオンとする画素の発生確率を調整するものではないので画像に不要なパターンやザラツキが発生せずに、本来の網点形状に沿った形でプルーフ画像を忠実に再現可能となる。
【００４５】
従来のように、網点の境界の隣接画素（外エッジ）をオフからオンにする確率や自身の画素（内エッジ）をオンからオフにする確率を網点面積率に基づいて変えることで網点の大きさを調整し面積階調の調整を行うと、画像に不要なパターンやザラツキの発生のおそれがあったのに対し、例えば外エッジの画素を全てオンにしその外エッジの画素の発色濃度を網点面積率に基づいて調整することによって、印刷物における物理的ドットゲインと同様の現象になるとともに、不要なパターンやザラツキの発生のない面積階調画像の階調調整が可能となるのである。
【００４６】
図１の印刷システムにおいて、ＲＩＰ２で作成した２値網点画像データによりＣＴＰ装置３で刷版を作成しかつカラープルーフ作成装置１０でプルーフを作成できるが、このようにRip処理が１回で済むRipOnce方式を実現するにあたって、上述のように不要なパターンやザラツキが発生する現象の発生をなくし、本来の網点形状に沿った形で画像を忠実に再現したプルーフを得ることができる。
【００４７】
以上のように本発明を実施するための最良の形態について説明したが、本発明はこれらに限定されるものではなく、本発明の技術的思想の範囲内で各種の変形が可能である。例えば、図２のマスク部２５は図５のような９×９のマスクを用いて網点面積率を推定したが、網点面積率の推定は、網点の構成単位よりも大きいマスクを使用することで精度がよくなり、例えば、１７５線の網点であれば、２４００ｄｐｉで１４×１４のマスクが好ましい。一方、マスクの升目が多くなると、装置構成が複雑化するので、図２のマスク部２５は９×９のマスクを用いておおよその網点面積率を推定することで、装置の簡素化を図ることができる。
【００４８】
また、本実施の形態では、図３（ｂ）のような外エッジ５２における露光量を調整する構成としたが、本発明はこれに限定されず、図３（ａ）のような内エッジ５１における露光量を調整するようにしてもよく、また、外エッジ及び内エッジの両方について露光量を調整するようにしてもよい。
【００４９】
また、図２のカラープルーフ作成装置は、露光部と現像部を有し、露光部でＢＧＲを出力したが、本発明は、これに限定されず、インクジェットなどの出力方式に応じてＹＭＣＫ出力等としてもよいことは勿論である。
【００５０】
また、図１のＲＩＰ２に入力する画像データは、各種のフォーマットの画像データであってよく、例えば、ベクトル系としては、ＰＳ(PostScript)データ以外に、ＰＤＦ、ＥＰＳ等であってもよく、また、ラスター系としてはＴＩＦＦ，ＴＩＦＦ／ＩＴ、その他専用フォーマット等であってよく、更に、２値データとしては、ＴＩＦＦbitmap、その他専用フォーマット等であってもよい。
【図面の簡単な説明】
【００５１】
【図１】本実施の形態による面積階調画像形成装置（カラープルーフ作成装置）を含む印刷システムの構成例を概略的に示す図である。
【図２】図１のカラープルーフ作成装置１０の制御系を概略的に示すブロック図である。
【図３】図２のエッジ検出部で検出する内エッジ（ａ）及び外エッジ（ｂ）を模式的に示す図である。
【図４】図２のエッジ検出部におけるエッジ検出を説明するための模式図である。
【図５】図２のマスク部において網点の網点面積率を推定するための９×９のマスクを説明するための模式図である。
【図６】図２の基準濃度テーブルの例を示す図である。
【図７】図２のカラーコレクションテーブルの例を示す図である。
【図８】図２の露光ＬＵＴの例を示す図である。
【図９】図１、図２のカラープルーフ作成装置１０におけるプルーフ作成の動作を説明するためのフローチャートである。
【符号の説明】
【００５２】
２ ＲＩＰ(Raster Image Processor)
３ ＣＴＰ装置
４ 印刷装置
１０ カラープルーフ作成装置（面積階調画像形成装置）
１１ 露光部
１２ 現像部
２０ 制御部
２２ データバッファ
２３ 露光ルックアップテーブル、露光ＬＵＴ
２４ エッジ検出部
２５ マスク部
２６ 基準濃度テーブル
２７ カラーコレクションテーブル
５０ 網点
５１ 内エッジ（内縁部）
５２ 外エッジ（外縁部）
ｈ 注目画素
【図１】
2006121153.tif 000003
【図２】
2006121153.tif 000004
【図３】
2006121153.tif 000005
【図４】
2006121153.tif 000006
【図５】
2006121153.tif 000007
【図６】
2006121153.tif 000008
【図７】
2006121153.tif 000009
【図８】
2006121153.tif 000010
【図９】
2006121153.tif 000011